(57)【要約】      （修正有）【課題】カプセル型レインコートを提供する。【解決手段】レインコート本体１と、第１の係合部材２と、第２の係合部材３とを備える。レインコート本体１は、両側に第１の袖口１１及び第２の袖口１２を有する。第１の係合部材２は、第１の袖口１１外に設けられ、両端に第１の開口端２１１と第１の結合部２１２とがそれぞれ形成され、第１の開口端２１１が第１の袖口１１に結合されている。第２の係合部材３は、第２の袖口１２外に設けられ、両端に第２の開口端３１１と第２の結合部３１２とがそれぞれ形成され、第２の開口端３１１が第２の袖口１２に結合されている。装着の使用において、使用者の両手は第１の係合部材と第２の係合部材の第１の開口端と第２の開口端を通す。巻き上げられたレインコート本体は、第１の係合部材と第２の係合部材内に収納可能であり、第１の結合部と第２の結合部との結合によりレインコートはカプセル形態に収納され、容易に携帯可能となり、収容体積は縮小される。【選択図】図２
0003214085.tif 000002
【実用新案登録請求の範囲】
【請求項１】
両側に形成された第１の袖口及び第２の袖口を有するレインコート本体と、
第１の袖口外かつ両端が開放である第１の中空筒体に設けられ、両端に第１の開口端と第１の結合部とがそれぞれ形成され、該第１の開口端が該第１の袖口に結合された第１の係合部材と、
第２の袖口外かつ両端が開放である第２の中空筒体に設けられ、両端に第２の開口端と第２の結合部とがそれぞれ形成され、該第２の開口端が該第２の袖口に結合され、該第２の結合部が該第１の結合部と結合可能な第２の係合部材と、
を備えることを特徴とするカプセル型レインコート。
【請求項２】
該第１の袖口に第１のブッシュリングが設けられ、該第２の袖口に第２のブッシュリングが設けられ、該第１のブッシュリングと該第２のブッシュリングはそれぞれ該第１の開口端と該第２の開口端に設けられていることを特徴とする請求項１に記載のカプセル型レインコート。
【請求項３】
該第１の結合部に雌ねじが設けられ、該第２の結合部に雄ねじが設けられ、該雄ねじは該雌ねじに螺着可能であることを特徴とする請求項１に記載のカプセル型レインコート。
【請求項４】
該第１の中空筒体または該第２の中空筒体の内部に動作可能に収納されているスリーブをさらに備えることを特徴とする請求項２に記載のカプセル型レインコート。
【請求項５】
該スリーブの底端に弾性片が設けられ、該スリーブを収容する該第１の中空筒体または該第２の中空筒体の内縁に該弾性片と係合するための少なくとも１つの止め部が設けられていることを特徴とする請求項４に記載のカプセル型レインコート。
【請求項６】
該第１の開口端と第２の開口端にそれぞれ蓋体が設けられ、該２つの蓋体は、該第１の開口端と第２の開口端を封鎖するために、該第１のブッシュリングと第２のブッシュリングにそれぞれ蓋着され、該２つの蓋体はそれぞれ係止リングにより該第１の係合部材と該第２の係合部材に作動可能に設けられていることを特徴とする請求項２に記載のカプセル型レインコート。
【考案の詳細な説明】
【技術分野】
【０００１】
本考案は、レインコートに関し、特にカプセル状に収納され、容易に携帯可能なレインコートに関するものである。
【背景技術】
【０００２】
レインコートは便利な雨具であり、特に自動二輪車または自転車を交通道具とする運転者にとっては欠かせない雨具である。レインコートは、通常、二輪車に放置され、雨の時に取り出されて使用される。レインコートの一番困ることは収納問題である。また、使用後のレインコートは濡れ状態であるため、使用者はレインコートを乾かさなければ、携帯には不便となる。従来のレインコートの収納について、使用者は通常レインコートを折り畳んで収納袋に入れる。収納袋とレインコートとはそれぞれ独立した存在であるため、使用上も収納上もスペースを大きく取り、極めて不便である。
【０００３】
台湾の実用新案第Ｍ４６６５２１号「買物袋レインコート」と第Ｍ５１３５９８号「収納バッグとしてのレインコート構造」に開示されたレインコートは、レインコートと収納物件とが一体に形成されている。しかしながら、この２つの構造のレインコートはマント型であり、袖の設置はなく、ヘッドカバーを有する一枚だけの防水プラスチックシートに複数の接着係止テープが加えられてなるものである。使用の際には使用者の両アームを完全に遮蔽することができず、雨水はアームのところから容易に浸入し、使用者の衣服を濡らすことがある。
【先行技術文献】
【特許文献】
【０００４】
【特許文献１】台湾実用新案第Ｍ４６６５２１号
【特許文献２】台湾実用新案第Ｍ５１３５９８号
【考案の概要】
【考案が解決しようとする課題】
【０００５】
従って、収納携帯が容易になるように袖を有するレインコートを収納物件と一体に形成させ、スペースを取らず、いつでも開けて使用できるようにすることは、レインコート分野において極めて解決すべき課題となっている。
【０００６】
そこで、本考案は、体積がコンパクトで携帯が容易かつ素早く取り出し装着可能であるという特色を有するカプセル型レインコートを提供することを目的とする。
【０００７】
また、本考案は、該レインコートが収納された後、雨水の外部への漏れはなく、容易に手に取りまたは物品上に載置可能であるという点において特色がある。
【課題を解決するための手段】
【０００８】
本考案は、レインコート本体と、第１の係合部材と、第２の係合部材とを備える。該レインコート本体は、両側に第１の袖口及び第２の袖口を有する。該第１の係合部材は、第１の袖口外に設けられ、両端に第１の開口端と第１の結合部とがそれぞれ形成され、該第１の開口端が該第１の袖口に結合されている。該第２の係合部材は、第２の袖口外に設けられ、両端に第２の開口端と第２の結合部とがそれぞれ形成され、該第２の開口端が該第２の袖口に結合されている。巻き上げられたレインコート本体は、第１の係合部材と第２の係合部材の内部に収容可能であり、第１の結合部と第２の結合部との結合によりレインコートはカプセル形態に収納可能となり、携帯は容易となり収納体積は縮小される。装着の使用において、該第１の結合部と第２の結合部とを開けるだけでよい。第１の係合部材及び第２の係合部材はそれぞれ該第１の袖口及び第２の袖口に設けられているため、該第１の係合部材及び第２の係合部材が拡開されると、レインコートの２つの袖になる。着衣のように両手を該第１の開口端と第２の開口端に入れるだけで、レインコートの装着を容易に完成することができる。
【考案の効果】
【０００９】
本考案に係るカプセル型レインコートによれば、カプセル形態に容易に収納可能であり、体積が縮小されるため、容易に携帯可能となり、また、レインコートが収納された後、雨水が外部へ漏れることはないという効果を有する。
【図面の簡単な説明】
【００１０】
【図１】本考案に係るレインコートの立体模式図である。
【図２】図１におけるレインコートの分解模式図である。
【図３】図１におけるレインコートの断面模式図である。
【図４】図１におけるレインコートの拡開模式図である。
【図５】本考案に係る他の実施例のレインコートの分解模式図である。
【図６】図５におけるスリーブの作動断面図である。
【図７】図５におけるスリーブが外方へ拡開された様子の断面図である。
【図８】本考案に係るレインコートに蓋体が設けられた様子の模式図である
【図９】本考案に係るレインコートの収容フロー模式図である。
【考案を実施するための形態】
【００１１】
図１ないし図４に示すように、本考案に係るレインコートは、レインコート本体１と、第１の係合部材２と、第２の係合部材３とを備える。レインコート本体１は、両側に第１の袖１１０と第２の袖１２０とがそれぞれ設けられている。第１、第２の袖１１０、１２０の先端には、第１の袖口１１と、第２の袖口１２とがそれぞれ設けられている。第１の袖口１１には第１のブッシュリング１１１が、第２の袖口１２には第２のブッシュリング１２１が設けられている。第１の係合部材２は、両端が開口である第１の中空筒体２１であり、両端に第１の開口端２１１と、雌ねじ２１３を有する第１の結合部２１２とがそれぞれ形成されている。第１の開口端２１１が第１のブッシュリング１１１と結合されることで、第１の係合部材２は、第１の袖口１１外に覆設されている。第１の係合部材３は、両端が開口である第２の中空筒体３１であり、両端に第２の開口端３１１と、第２の結合部３１２とがそれぞれ形成されている。第２の開口端３１１が第２のブッシュリング１２１と結合されることで、第２の係合部材３は、第２の袖口１２外に覆設されている。第２の結合部３１２には、第１の結合部２１２の雌ねじ２１３に螺着されるための雄ねじ３１３が設けられている。
【００１２】
図５ないし図７に示すように、本考案に係るレインコートは、スリーブ４をさらに備える。スリーブ４は、第１の係合部材２または第２の係合部材３の内部に作動可能に設けられている。この実施例において、スリーブ４は第２の係合部材３内に収納される。スリーブ４の底端には弾性片４１が設けられ、第２の中空筒体３１の第２の結合部３１２の内縁には少なくとも１つの止め部３１４が設けられている。弾性片４１は、スリーブ４が第２の係合部材３から脱落されないように止め部３１４に係止される。スリーブ４が第２の係合部材３内に作動可能に伸縮されることにより、レインコート収納時の利便性は向上し、収納空間は増大する。また、レインコートとレインコートズボンとが分離した二着式雨具に使用される場合、レインコートズボンをレインコート内に巻いて収納してから一斉にスリーブ４内に巻いて収納する。
【００１３】
図８に示すように、本考案に係るレインコートは、２つの蓋体５をさらに備え、２つの蓋体５は、第１の開口端２１１と第２の開口端３１１とにそれぞれ設けられ、第１のブッシュリング１１１と第２のブッシュリング１２１とに蓋着され、第１の開口端２１１と第２の開口端３１１とを封鎖する。この実施例において、各蓋体５は、係止リング５１により第１の開口端２１１と第２の開口端３１１とに設けられている。蓋体５は、使用後のレインコート本体１に残留した水滴の外部への漏れを防止することができるため、携帯が容易となる。
【００１４】
図９は、本考案に係るレインコートの収容作動フロー模式図である。まず、第１の袖１１０と第２の袖１２０を引き上げ、レインコート本体１を半分に折りたたむ。次に、レインコート本体１の底部を巻き上げ、巻き上げられたレインコート本体１をスリーブ４内（即ち第１の中空筒体２１及び第２の中空筒体３１内）に圧入する。次に、第１の中空筒体２１を第２の中空筒体３１と結合することで、レインコートの収納は終了する。収納後のレインコートの体積が小さくなるため、容易に放置かつ携帯可能である。ここで注意すべき点は、本考案に係るレインコートは、二着式（分離したレインコートとレインコートズボン）の雨具にも適用可能であることである。二着式雨具（図示せず）に使用される場合、レインコートズボンを巻き上げレインコートに載置し、巻き上げられたレインコートズボンをレインコートとともに第１の中空筒体２１と第２の中空筒体３１内に圧入するだけで、収納を完成することができる。レインコートの使用時に、使用者は第１の係合部材２と第２の係合部材３とを開け、レインコート本体１を拡開し、両手を第１の中空筒体２１と第２の中空筒体３１に通すだけで、レインコートの装着を素早く完成することができる。
【００１５】
本考案に係る「カプセル型レインコート」は下記の利点を有する。
１、第１の係合部材２及び第２の係合部材３はカプセル形態に容易に収納可能であり、収容後のレインコートの体積が最小となるため、容易に携帯可能である。
２、使用の際に第１の係合部材２と第２の係合部材３とを開けるだけで、着衣のように装着使用可能である。
３、本考案に係る構造は二着式レインコートにも適用可能であり、レインコートの態様に限定されない。
４、使用後のレインコートに残留した水滴の外部への漏れを防止することができ、容易に携帯可能である。
【００１６】
上記のように、これらの実施の形態は本考案の好ましい実施例のみであり、本考案の特許請求の範囲に基づいてなされる等価の変更や修飾は、本考案の技術範囲に入るものである。
【００１７】
以上のように、本考案では、両側に形成された第１の袖口及び第２の袖口を有するレインコート本体と、第１の袖口外かつ両端が開放である第１の中空筒体に設けられ、両端に第１の開口端と第１の結合部とがそれぞれ形成され、該第１の開口端が該第１の袖口に結合された第１の係合部材と、第２の袖口外かつ両端が開放である第２の中空筒体に設けられ、両端に第２の開口端と第２の結合部とがそれぞれ形成され、該第２の開口端が該第２の袖口に結合され、該第２の結合部が該第１の結合部と結合可能な第２の係合部材と、を備えることを特徴とするカプセル型レインコートとするものである。
【００１８】
また、該第１の袖口に第１のブッシュリングが設けられ、該第２の袖口に第２のブッシュリングが設けられ、該第１のブッシュリングと該第２のブッシュリングはそれぞれ該第１の開口端と該第２の開口端に設けられているものとする。
【００１９】
また、該第１の結合部に雌ねじが設けられ、該第２の結合部に雄ねじが設けられ、該雄ねじは該雌ねじに螺着可能であるものとする。
【００２０】
また、該第１の中空筒体または該第２の中空筒体の内部に動作可能に収納されているスリーブをさらに備えるものとする。
【００２１】
また、該スリーブの底端に弾性片が設けられ、該スリーブを収容する該第１の中空筒体または該第２の中空筒体の内縁に該弾性片と係合するための少なくとも１つの止め部が設けられているものとする。
【００２２】
また、該第１の開口端と第２の開口端にそれぞれ蓋体が設けられ、該２つの蓋体は、該第１の開口端と第２の開口端を封鎖するために、該第１のブッシュリングと第２のブッシュリングにそれぞれ蓋着され、該２つの蓋体はそれぞれ係止リングにより該第１の係合部材と該第２の係合部材に作動可能に設けられているものとする。
【産業上の利用可能性】
【００２３】
本考案に係るカプセル型レインコートによれば、カプセル形態に容易に収納可能であり、体積が縮小されるため、容易に携帯可能となり、また、レインコートが収納された後、雨水が外部へ漏れることはないという効果を有する。
【符号の説明】
【００２４】
１  レインコート本体
１１  第１の袖口
１１０  第１の袖
１１１  第１のブッシュリング
１２  第２の袖口
１２０  第２の袖
１２１  第２のブッシュリング
２  第１の係合部材
２１  第１の中空筒体
２１１  第１の開口端
２１２  第１の結合部
２１３  雌ねじ
３  第２の係合部材
３１  第２の中空筒体
３１１  第２の開口端
３１２  第２の結合部
３１３  雄ねじ
３１４  止め部
４  袖
４１  弾性片
５  蓋体
５１  係止リング
【図１】
0003214085.tif 000003
【図２】
0003214085.tif 000004
【図３】
0003214085.tif 000005
【図４】
0003214085.tif 000006
【図５】
0003214085.tif 000007
【図６】
0003214085.tif 000008
【図７】
0003214085.tif 000009
【図８】
0003214085.tif 000010
【図９】
0003214085.tif 000011